(57)【特許請求の範囲】
【請求項１】
対向する第１の側面および第２の側面を有する本体部筐体と、
この本体部筐体に対し前記第１の側面の側で開閉され、前記本体部筐体に対して閉の位置および開の位置を取る蓋部筐体と、
この蓋部筐体に設けられメニュー品目の注文情報を入力するキーを有する入力部と、
この入力部からの前記注文情報を表示する前記本体部筐体に設けられた表示部と、
これらの表示部および入力部を対面させて前記本体部筐体および前記蓋部筐体を前記閉にする保持力を発生させ、前記本体部筐体および前記蓋部筐体にそれぞれ設けられた一対の保持部材と、
これらの保持部材により閉状態のときに前記一対の保持部材、前記入力部および前記表示部の各配置位置と重ならない位置に前記蓋部筐体に設けられた磁石と、
この磁石と前記閉状態のときに対面して前記本体部筐体の前記第２の側面に設けられた操作キーと、
この操作キーと一体に前記本体部筐体に設けられ、前記磁石からの磁力を検知する磁気センサと、
この磁気センサに前記磁石を前記閉位置では近づけ、前記開位置では前記磁気センサから前記磁石を遠ざける前記本体部筐体および前記蓋部筐体間のヒンジ機構と、
前記磁気センサからの前記磁力の大きさにより前記本体部筐体および前記蓋部筐体の開閉を検知し、前記キー及び前記操作キーの入力および表示を制御する前記本体部筐体に設けられた制御部とを備えた注文端末。
【請求項２】
前記一対の保持部材は、前記本体部筐体に前記表示部の画面と前記閉状態で異なる位置に設けられた板金と、前記蓋部筐体に設けられ前記閉状態でこの板金に対向し前記板金に吸着する保持用の磁石とを備えた請求項１記載の注文端末。
【請求項３】
前記蓋部筐体に、前記磁石の外面に重なる内底とその軸方向端面に重なる内壁を有するヨークが更に設けられた請求項１記載の注文端末。
【発明の詳細な説明】
【技術分野】
【０００１】
一実施形態は注文端末に関する。
【背景技術】
【０００２】
飲食店では店員が蓋を開けてオーダを入力する注文入力携帯端末が使われている（例えば特許文献１参照）。従来、マグネットからの磁力を磁気センサに導く磁性体を備えた携帯端末および開閉検出装置が知られている（例えば特許文献２参照）。携帯電話機や電子機器はヒンジ機構によって互いに開閉可能にされた第１及び第２の筐体を有し、マグネットと磁気センサとを利用して開閉を検出する技術が知られている（例えば特許文献３−７参照）。
【先行技術文献】
【特許文献】
【０００３】
【特許文献１】特開２００７−３１６８０８号公報
【特許文献２】特開２００５−４４１１０号公報
【特許文献３】特開２００４−２０２８９号公報
【特許文献４】特開２００３−２８３６２１号公報
【特許文献５】特開２０１０−８５８６８号公報
【特許文献６】特開２００３−１６６８２６号公報
【特許文献７】特開２０１０−２０６２３８号公報
【発明の概要】
【発明が解決しようとする課題】
【０００４】
しかし上述した従来技術では、注文端末は蓋部の開閉を検知することができない。注文の入力操作が終わったときに蓋部が閉じたことや、蓋部が開いたことを注文端末が検知できない。注文端末は表示画面への通電のオン、オフのタイミングを得られない。
【課題を解決するための手段】
【０００５】
このような課題を解決するため、一実施形態によれば、対向する第１の側面および第２の側面を有する本体部筐体と、この本体部筐体に対し前記第１の側面の側で開閉され、前記本体部筐体に対して閉の位置および開の位置を取る蓋部筐体と、この蓋部筐体に設けられメニュー品目の注文情報を入力するキーを有する入力部と、この入力部からの前記注文情報を表示する前記本体部筐体に設けられた表示部と、これらの表示部および入力部を対面させて前記本体部筐体および前記蓋部筐体を前記閉にする保持力を発生させ、前記本体部筐体および前記蓋部筐体にそれぞれ設けられた一対の保持部材と、これらの保持部材により閉状態のときに前記一対の保持部材、前記入力部および前記表示部の各配置位置と重ならない位置に前記蓋部筐体に設けられた磁石と、この磁気センサに前記磁石を前記閉位置では近づけ、前記開位置では前記磁気センサから前記磁石を遠ざける前記本体部筐体および前記蓋部筐体間のヒンジ機構と、前記磁石と前記閉状態のときに対面して前記本体部筐体の前記第２の側面に設けられた操作キーと、この操作キーと一体に前記本体部筐体に設けられ、前記磁石からの磁力を検知する磁気センサと、この磁気センサからの前記磁力の大きさにより前記本体部筐体および前記蓋部筐体の開閉を検知し、前記キー及び前記操作キーの入力および表示を制御する前記本体部筐体に設けられた制御部とを備えた注文端末が提供される。
【図面の簡単な説明】
【０００６】
【図１】一実施形態に係る注文端末の斜視図である。
【図２】一実施形態に係る注文端末の正面図である。
【図３】一実施形態に係る注文端末の閉状態での断面構造を示す図である。
【図４】一実施形態の変形例に係る注文端末の閉状態での断面構造を示す図である。
【発明を実施するための形態】
【０００７】
以下、実施の形態に係る注文端末について、図１乃至図４を参照しながら説明する。尚、各図において同一箇所については同一の符号を付すとともに、重複した説明は省略する。
【０００８】
図１は一実施形態に係る注文端末の斜視図である。図２は一実施形態に係る注文端末の正面図である。図３は一実施形態に係る注文端末の閉状態での図１中ＡＡ′間の断面構造を示す図である。これらの図中、同じ符号は互いに同じ要素を表す。本実施形態に係る注文端末は飲食店等において店員が顧客からの注文を受付けて入力する業務用のハンディターミナルである。ハンディターミナル１０は本体部１１と蓋部１２とを有し、ヒンジ機構１３を介して蓋部１２が本体部１１に対して開閉自在になっている。
【０００９】
このハンディターミナル１０は、対向する第１の側面３５及び第２の側面３６を有する本体部筐体１４と、この本体部筐体１４に対し第１の側面３５の側で開閉する蓋部筐体１５と、この蓋部筐体１５に設けられそれぞれメニュー品目の注文情報を入力する複数のメニューキーを有するキー入力部１６（入力部）と、このキー入力部１６によって入力された注文情報を表示する本体部筐体１４に設けられた画面表示部１７（表示部）と、この画面表示部１７の画面の下段部に設けられ画面表示部１７上に重ねられたキーシート１８と、これらの画面表示部１７及びキー入力部１６を対面させて本体部筐体１４及び蓋部筐体１５を閉にする保持力を発生させる磁石１９及び板金２０（一対の保持部材）とを備えている。更にハンディターミナル１０は、蓋部筐体１５に設けられた第２の磁石３７と、本体部筐体１４の第２の側面３６に設けられこの磁石３７と閉状態のときに対面する操作者用のサイドキー３８（操作キー）と、このサイドキー３８と一体に本体部筐体１４に設けられ、磁石３７からの磁力を検知する磁気センサ２１と、本体部筐体１４に設けられ磁気センサ２１からの磁力の大きさにより本体部筐体１４及び蓋部筐体１５の開閉を検知し、キー入力部１６の各メニューキーからの入力、サイドキー３８の入力及び表示を制御する制御部２２とを備えている。
【００１０】
第１の側面３５の側にはヒンジ機構１３が設けられている。このヒンジ機構１３内には、制御部２２とキー入力部１６間を電気的に接続するフレキシブルプリント配線基板が通されている。第２の側面３６の側においては、図３に示すように、本体部１１と蓋部１２とが折畳まれると、本体部筐体１４の側壁２３と、蓋部筐体１５の側壁２４とが当接しキー入力部１６及び画面表示部１７が対向する。キー入力部１６の複数のメニューキーはマトリックス状に配列されている。各メニューキーはキートップ上の文字の印刷あるいはキー名を印刷された紙の挿入により表されている。文字種を例示すると、「コーヒー」、「カレー」、「サラダ」、「デザート」等のメニュー品目キー、確認キー、エンターキー、追加キー等である。
【００１１】
図３に示すようにハンディターミナル１０は本体部１１にＬＣＤ（ｌｉｑｕｉｄ ｃｒｙｓｔａｌ ｄｉｓｐｌａｙ：液晶表示器）２５と、このＬＣＤ２５の表示面上に積層されて取付けられたタッチパネル２６と、このタッチパネル２６の表面の保護シート２７とを備えている。これらのＬＣＤ２５、タッチパネル２６及び保護シート２７が一体となってタッチ入力式の表示画面を構成している。更に側壁２３が四方からそれぞれ画面中央に張り出して矩形の開口が形成されており、この開口からこの表示画面が露出して画面表示部１７が形成されている。キーシート１８にはメンブレーンキーが用いられる。キーシート１８は数字を表示するテンキー、上下の矢印を表示する矢印キー、「送信」と表示された送信キー等を含む。
【００１２】
図１、図２の保持用の磁石１９とこの磁石１９の吸着用の板金２０とは一対の保持部材を構成する。磁石１９は蓋部筐体１５にキー入力部１６と異なる位置に設けられた永久磁石であり、閉状態で板金２０に対向しこの板金２０に吸着する。閉状態とは本体部筐体１４及び蓋部筐体１５が閉じた状態を言う。板金２０は磁石１９によって磁化される磁性体であり、本体部筐体１４に画面表示部１７の画面及びキーシート１８のそれぞれと異なる位置に設けられている。板金２０は磁石１９の長手方向のサイズと同じ程度の長手方向のサイズを有する。
【００１３】
第２の磁石３７は閉状態のときの第１の磁石１９及び板金２０、キー入力部１６及び画面表示部１７の各配置位置と重ならない位置に側面３６に設けられている。サイドキー３８は開閉何れの状態でも常に外方に露出し操作者が左手で本体部筐体１４を把持したときにこの左手の親指に当たる位置に取付けられている。開閉の状態とは本体部筐体１４及び蓋部筐体１５が開いた状態及び閉じた状態を言う。磁石３７には残留磁束が弱い磁性体が用いられる。磁性体として磁石３７は例えばネオジウム鉄ボロン系合金磁性体や希土類コバルト合金磁性体を用いている。あるいは磁石３７はこのネオジウム鉄ボロン系合金磁性体又は希土類コバルト合金磁性体の価格よりも安価なフェライト系金属酸化物磁性体を選択して用いてもよい。
【００１４】
サイドキー３８は一例として画面表示部１７上に表示されるカーソルの位置を一つ上に動かす上方向ボタン、一つ下に動かす下方向ボタン及びカーソル位置を確定させるエンターボタンの３つを有するプッシュボタンスイッチである。これらの上方向ボタン、下方向ボタン及びエンターボタンには何れも接点が設けられており、これらのボタンの直下にはこれらの接点と接触する他の接点が設けられている。上方向ボタン、下方向ボタン及びエンターボタンの各ボタントップは互いに形状が三角形や円形など異なるラバーコンタクトにより覆われており、操作者は感触によってサイドキー３８を見ないでも操作可能になっている。サイドキー３８は図示しないサブ基板や配線により制御部２２と電気的に接続されている。ハンディターミナル１０は、タッチパネル２６、キー入力部１６及びキーシート１８への操作入力及びサイドキー３８への操作入力によっても注文情報の入力を受付ける。
【００１５】
磁気センサ２１は磁力を検出する。磁力とは磁界の強さ又はこの磁界の強さに空気中の透磁率を乗じた磁束密度を言う。例えば磁気センサ２１は、それぞれ磁力によってインピーダンスを変化させる一対の磁性体と、これらの磁性体へ印加される高周波発振器と、一対の磁性体のこの周波数でのインピーダンスの変化を検出するための一対の抵抗器と、電圧源とを備え、これらがブリッジ接続されて構成された磁気検出用のブリッジ回路である。磁気センサ２１はサイドキー３８用のサブ基板を介して配線により制御部２２と電気的に接続されている。
【００１６】
制御部２２は商品注文受け付け用のアプリケーションプログラムを実行し、全体制御を行う。制御部２２は底部の間仕切り壁３０上に取付けられたメインボード（主基板）３３と、このメインボード３３上に設けられた制御回路３４とを有する。制御回路３４はＣＰＵ（ｃｅｎｔｒａｌ ｐｒｏｃｅｓｓｉｎｇ ｕｎｉｔ）、ＲＯＭ（ｒｅａｄ ｏｎｌｙ ｍｅｍｏｒｙ）、ＲＡＭ（ｒａｎｄｏｍ ａｃｃｅｓｓ ｍｅｍｏｒｙ）と、ドライバＩＣ（ｉｎｔｅｇｒａｔｅｄ ｃｉｒｃｕｉｔ）等とを有する。ドライバＩＣとはタッチパネル２６、キー入力部１６やキーシート１８からの入力信号を取込む機能や、画像データに応じた画像をＬＣＤ２５に表示させる機能、及び無線送受信部３１（図１）の通信インターフェースを行う機能などを持つコントローラを言う。この無線送受信部３１は、店内に設置された無線中継器との間で無線通信を実行する。ハンディターミナル１０はバッテリ３２を本体部筐体１４に有する。
【００１７】
このような構成のハンディターミナル１０は本体部１１及び蓋部１２が閉じられた状態で店員のポケットに入れられる。閉状態では磁石１９と板金２０とが互いに磁気吸引により引き合う。本体部筐体１４及び蓋部筐体１５の状態が開状態から閉状態になると、安定的な強さを持つ磁力を持つ磁石３７が磁気センサ２１に対向する。本体部筐体１４及び蓋部筐体１５間には保持力が作用し、これらの開閉状態は閉状態になる。サイドキー３８の付近に位置する磁気センサ２１は磁力を検知する。制御部２２はハンディターミナル１０が閉状態であることを検出する。第１の磁石１９及び第２の磁石３７が有する磁力の大きさは、これらの磁力が磁気センサ２１によって開状態のときに検知されない程度である。
【００１８】
一方、客席において店員による操作により蓋部１２が開かれると、磁石１９及び板金２０間の保持は解除される。磁気センサ２１は磁石３７からの磁束を断たれる。制御部２２は本体部１１に対して蓋部１２が開かれたことを検知する。ハンディターミナル１０はこのハンディターミナル１０が開状態であることを検出する。開状態では、メニュー品目が露出する。ハンディターミナル１０は、キー入力部１９により「コーヒー」を操作入力され、キーシート１８により人数例えば「２」を操作入力され、及び「送信」キーを押下される。必要に応じて店員はサイドキー３８の何れかを押して選択する。制御部２２はこれらの「コーヒー」、「２」という情報を含む注文データを生成する。無線送受信部３１はこの注文データを無線送信する。天井等に設置された中継器を介してハンディターミナル１０は店内システムの無線受信器へ電波を送信する。無線受信器は注文データを正常に受信すると、ハンディターミナル１０に対して確認応答メッセージを含む無線信号を送信する。
【００１９】
注文動作が完了するとユーザ操作によって本体部１１及び蓋部１２が閉じられる。一対の保持部材としての磁石１９及び板金２０が吸引し合う。再度磁気センサ２１は磁石３７からの磁力を検知し始める。制御部２２はハンディターミナル１０が閉状態であることを検出する。このようにハンディターミナル１０は開閉検知を可能となる。磁気センサ２１が側面３６側にサイドキー３８と併せて実装され、サイドキー３８用に元々必要なサブ基板を、磁気センサ２１の接続用の基板として使うことができる。
【００２０】
従来例では注文入力携帯端末の開閉検知は、キー入力の休止時間のタイムアップによってこの注文入力携帯端末が操作中かどうかの判断を行っている。つまり従来例では注文入力携帯端末は蓋部が開いて操作されているかどうかの判断を、本体部のタイマ等によってキー入力の休止を監視し、数秒間キー入力が無いことを検出すること等により行っている。従来例では、注文データの送信し忘れや送信エラー時にはエラー音の鳴動やバイブレータによる振動といった警告を実施しており、ＬＣＤ及びタッチパネルへのバッテリの通電を切ること等を実施している。注文入力携帯端末は通常、従業員のポケットなどに入れて携行されるため、ポケットに注文入力携帯端末が入れられてしまったときにはエラー音を人が聞こえにくい。バイブレータの振動を人が感じにくい。不必要に画面のバックライトへの電源をつけているような状態となり無駄にバッテリを消耗する。タイマ検知式の開閉検知方法では、蓋部を閉じた後、ある程度の時間が経過した後に、エラー音やバイブレータを駆動するため、蓋の開きっ放しを検知しにくい。また、従来例による注文入力携帯端末はキー入力で電源をオンにすることにより端末の状態をサスペンド状態から復帰させており、蓋部が開いたことを検知しにくい。これに対してハンディターミナル１０によれば、開閉操作の直後に開閉を素早く検知できる。
【００２１】
また、従来例では、注文入力携帯端末に開閉検知機構を設けることが困難である。開閉検知機構として、一般的にはメカ（接点）スイッチなどが安価であること等のため知られているが、注文入力携帯端末は防水性を要求されており、メカ（接点）スイッチによる蓋の開閉検知が難しい。これに対してハンディターミナル１０によれば、接点式のスイッチを用いずに検知を行える。
【００２２】
また、一般に磁石は高価であり、ハンディターミナル１０では磁気センシング用及び筐体保持用の２個の磁石を搭載し、及びこれらの磁石に対して基板を搭載することは、価格競争力という意味で困難であった。表示や入力用の制御部のメインボードとは別の第２基板を設け、この第２基板及びメインボード間を配線するための基板設計費用や配線ケーブル等の費用が高価になる。第２基板上に磁気センサを載せると、この第２基板を本体部筐体の上方、即ち画面表示部寄りに設けなければならず、メインボード及び第２基板間の配線長が長くなる。メインボードは本体部筐体の底部に設けられているため、第２基板を設けることはやはり費用がかかる。これに対してハンディターミナル１０によれば、安価な構成で費用を抑えつつ開閉検知を実現できる。
【００２３】
（変形例）
実施の形態に係る注文端末は、磁石３７の周りにヨークあるいは別の板金を追加することによって磁束を揃え、磁気センサ２１が磁力を検出してもよい。
【００２４】
図４は変形例に係る注文端末の閉状態での図１中ＡＡ′間の断面構造を示す図である。既述の符号はそれらと互いに同じ要素を表す。変形例に係る注文端末はハンディターミナルであり、以下に特に述べない限り上記ハンディターミナル１０の構成と同じ構成を有する。
【００２５】
この変形例によるハンディターミナルはヨーク３９を磁石１９に設ける。このヨーク３９は磁石３７の外面に重なる内底とその軸方向端面に重なる内壁を有する。ヨーク３９により磁石３７のサイズを大きくせず、下方向への磁力を強めるようにされている。ヨーク３９と同等の２つの板金により磁石３７からの磁束を揃えてもよい。これにより、単純に磁石３７のサイズを大きくせずに、及び磁石３７の磁気強さを強くせずに、磁力の外部への影響を軽減させることができる。
【００２６】
（その他）
尚、上記の実施形態は実施形態そのままに限定されるものでは無く、実施段階ではその要旨を逸脱しない範囲で構成要素を変形して具体化できる。上記の実施形態では、液晶表示器を表示部に用いたが、表示部は有機ＥＬ（Ｅｌｅｃｔｒｏｌｕｍｉｎｅｓｃｅｎｃｅ）素子によるものでもよい。
【００２７】
一対の保持部材は磁石１９と板金２０とによって構成されていたが、この保持部材には他の部材が用いられてもよい。例えば本体部筐体１４及び蓋部筐体１５のうちの何れか一方に設けられた突起部材と、何れか他方に設けられこの突起部材と嵌合又は係止する受け具とが一対の保持部材を構成してもよい。本体部筐体１４及び蓋部筐体１５の何れか一方及び他方にそれぞれベルト体、及びベルト体を締結してこのベルト体を固定する締結具を設けてもよい。何れか一方、他方にそれぞれ面状のファスナーを用いても良い。
【００２８】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２９】
１０…ハンディターミナル（実施の形態に係る注文端末）１１…本体部、１２…蓋部、１３…ヒンジ機構、１４…本体部筐体、１５…蓋部筐体、１６…キー入力部、１７…画面表示部、１８…キーシート、１９…磁石（保持部材）、２０…板金（保持部材）、２１…磁気センサ、２２…制御部、２３，２４…側壁、２５…ＬＣＤ、２６…タッチパネル、２７…保護シート、２８…一端部、２９…他端部、３０…間仕切り壁、３１…無線送受信部、３２…バッテリ、３３…メインボード、３４…制御回路、３５…第１の側面、３６…第２の側面、３７…第２の磁石（磁石）、３８…サイドキー（操作キー）、３９…ヨーク。
【図１】
0005552135.tif 000002
【図２】
0005552135.tif 000003
【図３】
0005552135.tif 000004
【図４】
0005552135.tif 000005